(57)【要約】      （修正有）【課題】フラッグ部の貼り合わせが容易であると共に剥がれ難いケーブル用ラベルを作成するラベル作成方法を提供する。【解決手段】ＰＣ２は、情報を入力する情報入力部５１と、ケーブル用ラベルを作成するための印刷データを生成する印刷データ生成部５３と、を備える。ケーブル用ラベルは、長尺状又は短冊状の印刷媒体の長手方向に隣接する第１の長さの第１印刷領域及び第２印刷領域を含む印刷領域と、印刷領域と長手方向に隣接する第２の長さの巻き付け領域と、巻き付け領域又は印刷領域と長手方向に隣接する第３の長さの貼り合わせ領域と、を有する。印刷データ生成部は、情報入力部によって入力された情報を、第１印刷領域及び第２印刷領域のうち少なくとも一方に印刷する。【選択図】図４
2016170623.tif 000002
【特許請求の範囲】
【請求項１】
情報を入力する情報入力ステップと、
前記情報入力ステップにて入力された情報を、長尺状または短冊状の印刷媒体の長手方向に隣接する長さＬ１を有する第１印刷領域および長さＬ１を有する第２印刷領域のうち少なくとも一方に印刷すると共に、前記第１印刷領域および前記第２印刷領域を含む印刷領域と、前記印刷領域と長手方向に隣接する長さＬ２を有する巻き付け領域と、前記巻き付け領域または前記印刷領域と長手方向に隣接する長さＬ３を有する貼り合わせ領域と、を備えたケーブル用ラベルを作成するラベル作成ステップと、を実行することを特徴とするラベル作成方法。
【請求項２】
前記長さＬ１、前記長さＬ２および前記長さＬ３の長さをそれぞれ指定する編集ステップをさらに実行し、
前記ラベル作成ステップは、前記ケーブル用ラベルのラベル長が（２Ｌ１＋Ｌ２＋Ｌ３）となるように、前記印刷媒体を切断することを特徴とする請求項１に記載のラベル作成方法。
【請求項３】
前記ラベル作成ステップは、前記印刷媒体のテープ幅に応じて、前記長さＬ３を可変設定することを特徴とする請求項１に記載のラベル作成方法。
【請求項４】
前記ラベル作成ステップは、前記第１印刷領域、前記第２印刷領域、前記巻き付け領域および前記貼り合わせ領域の境界に、それぞれ境界マークを印刷することを特徴とする請求項２または３に記載のラベル作成方法。
【請求項５】
前記印刷領域、前記巻き付け領域および前記貼り合わせ領域の配置を、複数の選択肢の中から選択する配置選択ステップをさらに実行し、
前記ラベル作成ステップは、前記配置選択ステップの選択結果に基づいて、前記ケーブル用ラベルを作成することを特徴とする請求項１ないし４のいずれか一項に記載のラベル作成方法。
【請求項６】
情報を入力する情報入力ステップと、
前記情報入力ステップにて入力された情報を、長尺状または短冊状の印刷媒体の長手方向に隣接する長さＬ１を有する第１印刷領域および長さＬ１を有する第２印刷領域のうち少なくとも一方に印刷すると共に、前記第１印刷領域および前記第２印刷領域を含む印刷領域と、前記印刷領域と長手方向に隣接する長さＬ２を有する巻き付け領域と、前記巻き付け領域または前記印刷領域と長手方向に隣接する長さＬ３を有する貼り合わせ領域と、を備えたケーブル用ラベルを作成するための印刷データを生成する印刷データ生成ステップと、をコンピューターに実行させるためのプログラム。
【請求項７】
情報を入力する情報入力部と、
前記情報入力部によって入力された情報を、長尺状または短冊状の印刷媒体の長手方向に隣接する長さＬ１を有する第１印刷領域および長さＬ１を有する第２印刷領域のうち少なくとも一方に印刷すると共に、前記第１印刷領域および前記第２印刷領域を含む印刷領域と、前記印刷領域と長手方向に隣接する長さＬ２を有する巻き付け領域と、前記巻き付け領域または前記印刷領域と長手方向に隣接する長さＬ３を有する貼り合わせ領域と、を備えたケーブル用ラベルを作成するラベル作成部と、を備えることを特徴とするテープ印刷装置。
【請求項８】
印刷層と剥離紙層とが接着された長尺状または短冊状の印刷媒体の長手方向に隣接する長さＬ１を有する第１印刷領域および長さＬ１を有する第２印刷領域を含む印刷領域と、前記印刷領域と長手方向に隣接する長さＬ２を有する巻き付け領域と、前記巻き付け領域または前記印刷領域と長手方向に隣接する長さＬ３を有する貼り合わせ領域と、が設けられると共に、
前記第１印刷領域、前記第２印刷領域、前記巻き付け領域および前記貼り合わせ領域の境界を示す境界マークが印刷されていることを特徴とするケーブル用ラベル。
【発明の詳細な説明】
【技術分野】
【０００１】
本発明は、ケーブル等に巻き付けて用いるケーブル用ラベルを作成するラベル作成方法、プログラム、テープ印刷装置およびケーブル用ラベルに関する。
【背景技術】
【０００２】
従来、ケーブルを識別するための情報が印刷される第１印刷領域および第２印刷領域と、ケーブル等に巻き付ける巻き付け領域と、を備えたケーブル用ラベル（フラッグラベル）を作成する方法が各種提案されている。例えば、特許文献１には、印刷層と剥離紙層とが接着された長尺状印刷媒体の長手方向に、第１印刷領域、巻き付け領域、第２印刷領域の順に各領域が配置されたケーブル用ラベル（図７参照）や、巻き付け領域、第１印刷領域、第２印刷領域の順に各領域が配置されたケーブル用ラベル（図８参照）が開示されている。この種のケーブル用ラベルは、巻き付け領域がケーブル等に巻き付けられる巻き付け代として用いられ、第１印刷領域と第２印刷領域が識別情報を示すフラッグ部として用いられる。
【先行技術文献】
【特許文献】
【０００３】
【特許文献１】特許３８８５７９０号公報
【発明の概要】
【発明が解決しようとする課題】
【０００４】
ところで、特許文献１の図７に示されるケーブル用ラベルは一般的な配置であるが、フラッグ部を完全に貼り合わせること、およびラベルの撤去（不要になったラベルを剥がす作業）が難しいといった課題がある。フラッグ部が位置ずれして貼り合わされると、ずれた部分の粘着剤に粉塵が付着したり他の物体に粘着したりなど不都合が多い。また、ラベルの撤去が困難なことにより作業遅延が発生してしまう問題もある。これに対し、特許文献１の図８に示されるケーブル用ラベルは、第１印刷領域と第２印刷領域の間を山折りにすることでフラッグ部の貼り合わせが容易であると共に、フラッグ部を持って引き剥がすことでラベルを撤去し易いといった利点がある。ところが、図８に示されるケーブル用ラベルは、ケーブルの周囲長さに対して巻き付け代の長さが足りない場合など、フラッグ部の端部が剥がれやすくなるといった課題がある。
【０００５】
本発明は、上記の問題点に鑑み、フラッグ部の貼り合わせが容易であると共に剥がれ難いケーブル用ラベルを提供すること、および当該ケーブル用ラベルを作成可能なラベル作成方法、プログラムおよびテープ印刷装置を提供することを目的とする。
【課題を解決するための手段】
【０００６】
本発明のラベル作成方法は、情報を入力する情報入力ステップと、情報入力ステップにて入力された情報を、長尺状または短冊状の印刷媒体の長手方向に隣接する長さＬ１を有する第１印刷領域および長さＬ１を有する第２印刷領域のうち少なくとも一方に印刷すると共に、第１印刷領域および第２印刷領域を含む印刷領域と、印刷領域と長手方向に隣接する長さＬ２を有する巻き付け領域と、巻き付け領域または印刷領域と長手方向に隣接する長さＬ３を有する貼り合わせ領域と、を備えたケーブル用ラベルを作成するラベル作成ステップと、を実行することを特徴とする。
【０００７】
本発明のプログラムは、情報を入力する情報入力ステップと、情報入力ステップにて入力された情報を、長尺状または短冊状の印刷媒体の長手方向に隣接する長さＬ１を有する第１印刷領域および長さＬ１を有する第２印刷領域のうち少なくとも一方に印刷すると共に、第１印刷領域および第２印刷領域を含む印刷領域と、印刷領域と長手方向に隣接する長さＬ２を有する巻き付け領域と、巻き付け領域または印刷領域と長手方向に隣接する長さＬ３を有する貼り合わせ領域と、を備えたケーブル用ラベルを作成するための印刷データを生成する印刷データ生成ステップと、をコンピューターに実行させることを特徴とする。
【０００８】
本発明のテープ印刷装置は、情報を入力する情報入力部と、情報入力部によって入力された情報を、長尺状または短冊状の印刷媒体の長手方向に隣接する長さＬ１を有する第１印刷領域および長さＬ１を有する第２印刷領域のうち少なくとも一方に印刷すると共に、第１印刷領域および第２印刷領域を含む印刷領域と、印刷領域と長手方向に隣接する長さＬ２を有する巻き付け領域と、巻き付け領域または印刷領域と長手方向に隣接する長さＬ３を有する貼り合わせ領域と、を備えたケーブル用ラベルを作成するラベル作成部と、を備えることを特徴とする。
【０００９】
本発明は、印刷媒体の長手方向において、隣接する第１印刷領域および第２印刷領域を含む印刷領域と、印刷領域と隣接する巻き付け領域と、巻き付け領域または印刷領域と隣接する貼り合わせ領域と、を備えたケーブル用ラベルを作成する。このように、フラッグ部となる第１印刷領域および第２印刷領域が隣接して設けられているため、境界位置に合わせて山折りにすることでフラッグ部の貼り合わせを容易に行うことができる。また、貼り合わせ領域を、フラッグ部または巻き付け領域に重畳して貼着する貼り付け代として用いることでケーブル用ラベルを剥がれ難くすることができる。
なお、「隣接する」とは、隣り合って接していること、すなわち間に他の領域が存在しないことを意味する。つまり、印刷領域は、第１印刷領域と第２印刷領域が隣接して設けられ、巻き付け領域は、その印刷領域に隣接するため、印刷領域および巻き付け領域の配置は、「第１印刷領域、第２印刷領域、巻き付け領域」および「巻き付け領域、第１印刷領域、第２印刷領域」のいずれかとなる。また、貼り合わせ領域は、巻き付け領域または印刷領域と隣接するため、印刷領域、巻き付け領域および貼り合わせ領域の配置は、「第１印刷領域、第２印刷領域、巻き付け領域、貼り合わせ領域」、「貼り合わせ領域、巻き付け領域、第１印刷領域、第２印刷領域」、「貼り合わせ領域、第１印刷領域、第２印刷領域、巻き付け領域」および「巻き付け領域、第１印刷領域、第２印刷領域、貼り合わせ領域」のいずれかとなる。なお、第１印刷領域と第２印刷領域の配置は入れ替え可能である。
また、ケーブル用ラベルは、長尺状の印刷媒体を幅方向に切断することによって作成しても良いし、カットラベル（短冊状の印刷媒体）を用いて作成しても良い。後者の場合、印刷領域、巻き付け領域および貼り合わせ領域が予め区画されたカットラベルを用いても良いし、各領域が区画されていない定長のカットラベルに各領域の境界を示す境界マークを印刷して用いても良い。
【００１０】
上記のラベル作成方法において、長さＬ１、長さＬ２および長さＬ３の長さをそれぞれ指定する編集ステップをさらに実行し、ラベル作成ステップは、ケーブル用ラベルのラベル長が（２Ｌ１＋Ｌ２＋Ｌ３）となるように、印刷媒体を切断することを特徴とする。
【００１１】
本発明の構成によれば、印刷領域、巻き付け領域および貼り合わせ領域の長さを、ケーブルの太さやケーブル本数、ユーザーの好み等に応じて任意に設定することができる。
【００１２】
上記のラベル作成方法において、ラベル作成ステップは、印刷媒体のテープ幅に応じて、長さＬ３を可変設定することを特徴とする。
【００１３】
本発明の構成によれば、貼り合わせ領域を、印刷媒体のテープ幅に応じた適切な（印刷媒体の無駄をなくしつつも、剥がれ難くする効果を維持可能な）長さに設定することができる。また、ユーザーは、貼り合わせ領域の長さ入力の手間を省略できる。
【００１４】
上記のラベル作成方法において、ラベル作成ステップは、第１印刷領域、第２印刷領域、巻き付け領域および貼り合わせ領域の境界に、それぞれ境界マークを印刷することを特徴とする。
【００１５】
本発明の構成によれば、境界マークが印刷されるため、ユーザーは各領域を区別することができる。また、フラッグ部の折り曲げ位置を確認できるため、第１印刷領域と第２印刷領域を正確に貼り合わせることができる。
【００１６】
上記のラベル作成方法において、印刷領域、巻き付け領域および貼り合わせ領域の配置を、複数の選択肢の中から選択する配置選択ステップをさらに実行し、ラベル作成ステップは、配置選択ステップの選択結果に基づいて、ケーブル用ラベルを作成することを特徴とする。
【００１７】
本発明の構成によれば、ユーザーの好みや用途に応じて、各領域の配置を任意に選択することができる。
【００１８】
本発明のケーブル用ラベルは、印刷層と剥離紙層とが接着された長尺状または短冊状の印刷媒体の長手方向に隣接する長さＬ１を有する第１印刷領域および長さＬ１を有する第２印刷領域を含む印刷領域と、印刷領域と長手方向に隣接する長さＬ２を有する巻き付け領域と、巻き付け領域または印刷領域と長手方向に隣接する長さＬ３を有する貼り合わせ領域と、が設けられると共に、第１印刷領域、第２印刷領域、巻き付け領域および貼り合わせ領域の境界を示す境界マークが印刷されていることを特徴とする。
【００１９】
本発明の構成によれば、フラッグ部となる第１印刷領域および第２印刷領域が隣接して設けられているため、フラッグ部の貼り合わせを容易に行うことができる。また、貼り合わせ領域を、フラッグ部または巻き付け領域に重畳して貼着する貼り付け代として用いることでケーブル用ラベルを剥がれ難くすることができる。
【図面の簡単な説明】
【００２０】
【図１】本発明の一実施形態に係る印刷システムの構成図である。
【図２】ＰＣのハードウェア構成を示すブロック図である。
【図３】テープ印刷装置のハードウェア構成を示すブロック図である。
【図４】ＰＣおよびテープ印刷装置の機能構成を示すブロック図である。
【図５】ケーブル用ラベルの作成例を示す図である。
【図６】ラベル編集画面の一例を示す図である。
【図７】ケーブル用ラベルをケーブルに取り付ける手順を示す図である。
【図８】ケーブル用ラベルをケーブルに取り付けた状態を示す図である。
【図９】変形例１に係る貼り合わせ代テーブルの一例を示す図である。
【図１０】変形例２に係るケーブル用ラベルの作成例を示す図である。
【図１１】第２実施形態に係るテープ印刷装置の機能構成を示すブロック図である。
【発明を実施するための形態】
【００２１】
[第１実施形態]
以下、添付の図面を参照して、本発明のラベル作成方法、プログラム、テープ印刷装置およびケーブル用ラベルについて説明する。本実施形態では、本発明のラベル作成方法を、パーソナルコンピューター（以下、「ＰＣ」と称する）２およびテープ印刷装置３によって実現する場合を例示する。
【００２２】
図１は、本発明の一実施形態に係る印刷システムＳＹの構成図である。同図に示すように、印刷システムＳＹは、ＰＣ２と、長尺状の印刷媒体（以下、「印刷テープＴ」と称する）に印刷を行ってラベルを作成するテープ印刷装置３と、を備えている。
【００２３】
ＰＣ２は、ＰＣ本体２１、表示画面２２、キーボード２３、マウス２４など一般的なコンピューターの構成を有している。また、ＰＣ２は、ＵＳＢケーブル４０を介してテープ印刷装置３と通信する。なお、ＰＣ２とテープ印刷装置３間の通信は、ＵＳＢ規格に限らず、Ｅｔｈｅｒｎｅｔ（登録商標）など他の規格を用いても良い。また、Ｂｌｕｅｔｏｏｔｈ（登録商標）などの無線通信規格を用いても良い。
【００２４】
テープ印刷装置３は、印刷テープＴおよびインクリボンが収容されたテープカートリッジ３１が装着され、ＰＣ２から印刷データを受信すると、テープカートリッジ３１から印刷テープＴを繰り出しつつ、印刷処理および切断処理を行う。印刷テープＴの印刷済み部分は、切断処理後、テープ排出口３２から排出され、ラベルとして用いられる。なお、本実施形態のテープ印刷装置３は、ケーブル１０等の対象物に巻き付けて用いるケーブル用ラベルＣＬを作成可能である（図８等参照）。
【００２５】
次に、図２および図３を参照し、ＰＣ２およびテープ印刷装置３のハードウェア構成について説明する。図２は、ＰＣ２のブロック図である。ＰＣ２は、ハードウェア構成として、図１に示した表示画面２２、キーボード２３、マウス２４の他、ＵＳＢ通信部２５、ＨＤＤ（Hard  disk  drive）２６およびＰＣ側制御部２８を備えている。
【００２６】
表示画面２２は、ラベル編集画面Ｄ（図６参照）など、各種情報を表示する。キーボード２３およびマウス２４は、各種選択肢の選択操作や編集操作を行うために用いられる。ＵＳＢ通信部２５は、ＵＳＢ通信規格に基づき、テープ印刷装置３と通信を行う。
【００２７】
ＨＤＤ２６は、ＯＳ（Operating  System）２６ａおよび専用アプリケーション２６ｂを記憶する。専用アプリケーション２６ｂは、テープ印刷装置３に出力する印刷データを生成するためのアプリケーションである。上記のラベル編集画面Ｄは、当該専用アプリケーション２６ｂの一機能として表示される。
【００２８】
ＰＣ側制御部２８は、ＣＰＵ（Central  Processing  Unit）およびＲＡＭ（Random  Access  Memory）等によって実現され、上記の各部（符号２２ないし符号２６）と連携し、印刷データの生成処理やテープ印刷装置３との通信制御を行う。
【００２９】
図３は、テープ印刷装置３のブロック図である。テープ印刷装置３は、ハードウェア構成として、ＵＳＢ通信部３３、カートリッジ検出部３４、印刷機構３５および印刷装置側制御部３６を備えている。
【００３０】
ＵＳＢ通信部３３は、ＵＳＢ通信によってＰＣ２と通信を行う。カートリッジ検出部３４は、テープカートリッジ３１に収容された印刷テープＴに関するテープ情報を検出する。テープ情報としては、印刷テープＴのテープ幅やテープ材質などを検出する。検出方法としては、テープカートリッジ３１に貼付または印刷されたコード画像（バーコードや２次元コードなど）やＲＦＩＤ（Radio  Frequency  Identification）を読み取る方法、テープカートリッジ３１に形成された１以上の孔の有無を検出する方法、などが考えられる。なお、検出したテープ情報（例えば、テープ幅）は、プレビュー表示（図６のプレビュー表示領域７２参照）や、テキストを入力する行数の選択肢（図６の行数選択欄８７参照）などに反映される。
【００３１】
印刷機構３５は、印刷ヘッド４１、テープ送りモーター４２、フルカッターモーター４３およびフルテープカッター４４を含む。印刷ヘッド４１は、サーマルヘッドであり、繰り出された印刷テープＴおよびインクリボンを、プラテンローラー（図示省略）との間に挟み込んで印刷を行う。テープ送りモーター４２は、繰り出された印刷テープＴを、印刷ヘッド４１からテープ排出口３２（図１参照）に向けて搬送する。フルカッターモーター４３は、フルテープカッター４４を駆動し、テープ送りを一旦停止した状態で、印刷テープＴの印刷済み部分をテープ幅方向に切断する。なお、特に図示しないが、印刷テープＴは、印刷層と剥離紙層とが粘着層を介して接着された構造となっている。フルテープカッター４４は、印刷層から剥離紙層までを切断する。
【００３２】
印刷装置側制御部３６は、ＣＰＵやＲＡＭ等によって実現され、上記の各部（符号３３ないし符号３５）と連携し、ＰＣ２との通信制御や印刷制御を行う。具体的には、テープカートリッジ３１の装着時またはＰＣ２からの問い合わせがあったとき、ＵＳＢ通信部３３を介してカートリッジ検出部３４によって検出したテープ情報をＰＣ２に送信する。また、ＰＣ２からＵＳＢ通信部３３を介して印刷データを受信し、当該印刷データに基づいて印刷機構３５を制御する。
【００３３】
次に、図４を参照し、ＰＣ２およびテープ印刷装置３の機能構成について説明する。ＰＣ２は、機能構成として、情報入力部５１、編集部５２、印刷データ生成部５３および印刷データ出力部５４を備えている。これらは、主に上記の専用アプリケーション２６ｂ（図２参照）によって提供される機能である。また、テープ印刷装置３は、機能構成として、印刷データ取得部６１、印刷部６２およびフルカット部６３を備えている。なお、請求項におけるラベル作成ステップは、印刷データ生成部５３、印刷データ出力部５４、印刷データ取得部６１、印刷部６２およびフルカット部６３によって実現される。
【００３４】
情報入力部５１は、ケーブル用ラベルＣＬのフラッグ部を構成する印刷領域Ｅ１に印刷する情報（テキストや画像など）を入力する。本実施形態では、情報として１行以上のテキストを入力するが、記号やマーク等の画像を挿入しても良い。編集部５２は、印刷領域Ｅ１、巻き付け領域Ｅ２および貼り合わせ領域Ｅ３の長さをそれぞれ指定する。巻き付け領域Ｅ２は、ケーブル１０に巻き付ける巻き付け代を構成する。また、貼り合わせ領域Ｅ３は、フラッグ部に重畳または挟み込んで貼着する貼り付け代を構成する。その他、編集部５２は、印刷領域Ｅ１のレイアウト指定や、各領域Ｅ１，Ｅ２，Ｅ３の境界を示す境界マークＭ１（セパレータ）の選択、などを行う（図６の編集領域７１参照）。
【００３５】
印刷データ生成部５３は、ケーブル用ラベルＣＬを作成するための印刷データを生成する。印刷データは、情報入力部５１によって入力された情報を第１印刷領域Ｅ１ａおよび／または第２印刷領域Ｅ１ｂに印刷する命令、編集部５２の指定に基づいて各領域Ｅ１，Ｅ２，Ｅ３の境界に境界マークＭ１を印刷する命令、ケーブル用ラベルＣＬの後端を切断する命令、などを含む。印刷データ出力部５４は、印刷データ生成部５３によって生成された印刷データを、テープ印刷装置３に対して出力する。
【００３６】
ここで、ケーブル用ラベルＣＬの構成（各領域Ｅ１，Ｅ２，Ｅ３の配置）について説明する。図５（ａ）は、本実施形態に係るケーブル用ラベルＣＬの作成例を示す図である。同図のケーブル用ラベルＣＬは、印刷テープＴの長手方向に隣接する長さＬ１を有する第１印刷領域Ｅ１ａおよび長さＬ１を有する第２印刷領域Ｅ１ｂと、第２印刷領域Ｅ１ｂに隣接する長さＬ２を有する巻き付け領域Ｅ２と、巻き付け領域Ｅ２に隣接する長さＬ３を有する貼り合わせ領域Ｅ３と、を有するラベル長（２Ｌ１＋Ｌ２＋Ｌ３）のラベルである。なお、「隣接する」とは、隣り合って接していること、すなわち間に他の領域が存在しないことを意味する。また、第１印刷領域Ｅ１ａおよび第２印刷領域Ｅ１ｂには、情報入力部５１によって入力された情報に基づく印刷画像Ｐ（同図の例では、テキスト「ＡＢＣ」）が印刷されると共に、各領域Ｅ１，Ｅ２，Ｅ３の境界には、境界マークＭ１（同図の例では、印刷テープＴの幅方向に伸びる実線）が印刷される。さらに、巻き付け領域Ｅ２の長手方向中央には、巻き付け領域Ｅ２をケーブル１０に巻き付ける際の基準位置となる基準マークＭ２（同図の例では、印刷テープＴの幅方向に伸びる破線）が印刷される。
【００３７】
なお、ケーブル用ラベルＣＬの各領域Ｅ１，Ｅ２，Ｅ３の配置は、図５（ａ）に示したものに限らず、図５（ｂ）に示すように、図５（ａ）の各領域Ｅ１，Ｅ２，Ｅ３を左右対称に配置しても良い。つまり、印刷領域Ｅ１、巻き付け領域Ｅ２および貼り合わせ領域Ｅ３の順に、印刷テープＴの長手方向に隣接して設けられた構成であれば良い。
【００３８】
図４の説明に戻る。テープ印刷装置３の印刷データ取得部６１は、ＰＣ２から印刷データを取得する。印刷部６２は、取得した印刷データに基づいて印刷テープＴに印刷を行う。つまり、印刷画像Ｐ、境界マークＭ１および基準マークＭ２を、それぞれ印刷データ内で指定された位置に印刷する。また、フルカット部６３は、取得した印刷データに基づいて（指定されたラベル長となるように）印刷テープＴの印刷層および剥離紙層を幅方向に切断する。
【００３９】
次に、図６を参照し、ラベル編集画面Ｄの画面構成について説明する。ラベル編集画面Ｄは、編集領域７１、プレビュー表示領域７２、情報入力領域７３、ＯＫボタン７４およびキャンセルボタン７５を含む。ＯＫボタン７４が押下されると、ラベル編集画面Ｄの編集内容が印刷データに反映される。また、キャンセルボタン７５が押下されると、ラベル編集画面Ｄの編集内容が無効となる。なお、ＯＫボタン７４の押下によって、テープ印刷装置３に対し印刷データを出力する構成としても良い。
【００４０】
編集領域７１は、テープ幅を選択するテープ幅選択欄８１と、印刷領域Ｅ１の長さＬ１を選択する印刷領域長さ選択欄８２と、巻き付け領域Ｅ２の長さＬ２を選択する巻き付け領域長さ選択欄８３と、貼り合わせ領域Ｅ３の長さＬ３を選択する貼り合わせ領域長さ選択欄８４と、印刷領域Ｅ１のレイアウトを選択するレイアウト選択欄８５と、境界マークＭ１の種類を選択するセパレータ選択欄８６と、を含む。なお、テープ幅選択欄８１は、ユーザーがテープ幅を選択するのではなく、所定の操作によってテープ印刷装置３で検出されたテープ幅を反映しても良い。
【００４１】
レイアウト選択欄８５は、例えば選択肢「ＡＡ｜ＡＡ」が選択された場合は、第１印刷領域Ｅ１ａおよび第２印刷領域Ｅ１ｂに同じ印刷画像Ｐを印刷し、選択肢「ＡＡ｜ＢＢ」が選択された場合は、第１印刷領域Ｅ１ａおよび第２印刷領域Ｅ１ｂに異なる印刷画像Ｐを印刷する。したがって、後者の場合、後述する行数選択欄８７およびテキスト入力欄８８が２か所設けられる。なお、レイアウト選択欄８５において、テキストの書字方向（縦書き／横書き）を選択可能としても良い。また、セパレータ選択欄８６は、図５に示した実線の境界マークＭ１や、プレビュー表示領域７２のラベルイメージに示すような２点の（ドットタイプの）境界マークの他、破線の境界マーク、境界マークなし、などの選択肢を選択可能である。
【００４２】
プレビュー表示領域７２は、編集領域７１および情報入力領域７３の編集／入力結果を反映したラベルイメージを表示する。また、「Ｌ１」，「Ｌ２」，「Ｌ３」は、各領域Ｅ１，Ｅ２，Ｅ３の長さを示すものであり、印刷領域長さ選択欄８２、巻き付け領域長さ選択欄８３、貼り合わせ領域長さ選択欄８４の各欄に表示された記号と対応している。
【００４３】
情報入力領域７３は、テキストの入力行を選択する行数選択欄８７と、各行に対応してテキストを入力するテキスト入力欄８８と、を含む。テキスト入力欄８８は、行数選択欄８７で選択された行数分の行別入力欄を表示する。テキスト入力欄８８に入力されたテキストは、その入力に伴ってプレビュー表示領域７２のラベルイメージに反映される。なお、編集領域７１内の各欄８１〜８４および情報入力領域７３の行数選択欄８７では、複数の選択肢の中から所望の選択肢を選択することによって各編集項目を指定したが、直接数値を入力しても良い。
【００４４】
次に、図７および図８を参照し、ケーブル用ラベルＣＬをケーブル１０に取り付ける手順について説明する。図７（ａ）は、テープ印刷装置３から排出された状態のケーブル用ラベルＣＬを示している。この状態から同図（ｂ）に示すように、第１印刷領域Ｅ１ａと第２印刷領域Ｅ１ｂの間の境界マークＭ１に沿って山折にし、折り目（折り癖）を付ける。続いて、ケーブル用ラベルＣＬの剥離紙を剥離し、同図（ｃ）に示すように、折り目で折り曲げることによって第１印刷領域Ｅ１ａと第２印刷領域Ｅ１ｂの粘着層を貼り合わせる。その後、同図（ｄ）に示すように、巻き付け領域Ｅ２の基準マークＭ２を基準としてケーブル１０への巻き付け位置を決定する。図８（ａ）は、図７（ｄ）の状態から巻き付け領域Ｅ２をケーブル１０に巻き付けた状態を示している。同図の状態から、貼り合わせ領域Ｅ３を第１印刷領域Ｅ１ａに重ねて貼着し、ケーブル用ラベルＣＬの取り付け完了となる。
【００４５】
なお、図７（ｂ）の後、第１印刷領域Ｅ１ａと第２印刷領域Ｅ１ｂを貼り合わせることなく巻き付け領域Ｅ２をケーブル１０に巻き付け、最終的に貼り合わせ領域Ｅ３を第１印刷領域Ｅ１ａと第２印刷領域Ｅ１ｂの間に挟み込むようにして取り付けても良い（図８（ｂ）参照）。この構成によれば、第１印刷領域Ｅ１ａに印刷された印刷画像Ｐが貼り合わせ領域Ｅ３によって隠れることがない。
【００４６】
以上説明したとおり、本実施形態の印刷システムＳＹによって作成されるケーブル用ラベルＣＬは、印刷領域Ｅ１に重畳または挟み込んで貼着する貼り合わせ領域Ｅ３を有するため、貼り合わせ領域Ｅ３を有しないラベルと比べて格段に剥がれ難いといったメリットがある。また、フラッグ部となる第１印刷領域Ｅ１ａおよび第２印刷領域Ｅ１ｂを隣接して設けているため、ユーザーがフラッグ部の貼り合わせを容易に行うことができるといったメリットもある。
【００４７】
また、各領域Ｅ１，Ｅ２，Ｅ３の境界には境界マークＭ１を印刷し、巻き付け領域Ｅ２の中央には基準マークＭ２を印刷するため、ユーザーはフラッグ部の折り曲げ位置やケーブル１０への取り付け位置を把握することができる。さらに、ラベル編集画面Ｄでは、印刷領域Ｅ１、巻き付け領域Ｅ２および貼り合わせ領域Ｅ３の長さ（Ｌ１，Ｌ２，Ｌ３）を指定可能であるため、ケーブルの太さやケーブル本数、ユーザーの好み等に応じて各領域Ｅ１，Ｅ２，Ｅ３の長さを任意に設定することができる。
【００４８】
なお、上記の実施形態によらず、以下の変形例を採用可能である。
［変形例１］
上記の実施形態では、各領域Ｅ１，Ｅ２，Ｅ３の長さをユーザーが指定したが、貼り合わせ領域Ｅ３の長さ（Ｌ３）を、テープ幅に応じて可変設定しても良い。この場合、ＰＣ２内に図９に示すような貼り合わせ代テーブルを記憶しておき、テープ印刷装置３によって検出されたテープ幅、若しくはユーザーによって指定されたテープ幅に応じて、一意に貼り合わせ代（貼り合わせ領域Ｅ３）の長さ（Ｌ３）を設定する。この構成によれば、貼り合わせ領域Ｅ３を、印刷テープＴのテープ幅に応じた適切な（印刷テープＴの無駄をなくしつつも、剥がれ難くする効果を維持可能な）長さに設定することができる。また、ユーザーは、貼り合わせ領域Ｅ３の長さ入力の手間を省略できる。
【００４９】
なお、さらなる変形例として、入力された情報（印刷画像Ｐの長手方向長さ）に応じて印刷領域Ｅ１の長さを可変設定する、ケーブル１０の太さ（直径など）や本数をユーザーが指定し、その指定に応じて巻き付け領域Ｅ２の長さを可変設定する、なども考えられる。
【００５０】
［変形例２］
また、上記の実施形態では、図５に示したように、印刷領域Ｅ１、巻き付け領域Ｅ２および貼り合わせ領域Ｅ３の順に連接されたケーブル用ラベルＣＬを作成したが、図１０（ａ）に示すように、貼り合わせ領域Ｅ３、印刷領域Ｅ１（第１印刷領域Ｅ１ａ＋第２印刷領域Ｅ１ｂ）、巻き付け領域Ｅ２の順に連接されたケーブル用ラベルＣＬを作成しても良い。また、図１０（ｂ）に示すように、図１０（ａ）の各領域Ｅ３，Ｅ１，Ｅ２を左右対称に配置しても良い。これらの場合貼り合わせ領域Ｅ３は、巻き付け領域Ｅ２に重畳して貼り付けられる。
【００５１】
また、さらなる変形例として、図５（ａ）の配置、図５（ｂ）の配置、図１０（ａ）の配置、図１０（ｂ）の配置の中から、ユーザーが所望の配置を選択可能としても良い（配置選択ステップ）。この構成によれば、ユーザーの好みや用途に応じて、各領域Ｅ１，Ｅ２，Ｅ３の配置を任意に選択することができる。
【００５２】
［変形例３］
また、上記の実施形態では、長尺状の印刷テープＴを切断することでケーブル用ラベルＣＬを作成したが、切断が不要なカットラベル（短冊状の印刷媒体）を用いても良い。つまり、図４に示したテープ印刷装置３の構成からフルカット部６３を省略しても良い。カットラベルとは、予め第１印刷領域Ｅ１ａ、第２印刷領域Ｅ１ｂ、巻き付け領域Ｅ２および貼り合わせ領域Ｅ３を有する定長のラベルが形成された印刷テープＴを指す。この場合ケーブル用ラベルＣＬは、各領域Ｅ１，Ｅ２，Ｅ３の境界に予め境界マークＭ１が印刷されているカットラベルに対し、第１印刷領域Ｅ１ａおよび第２印刷領域Ｅ１ｂに情報を印刷することで作成する。この構成においては、第１印刷領域Ｅ１ａ、第２印刷領域Ｅ１ｂに印刷を行う前のカットラベルも、本発明の権利範囲に含まれる（本発明の「ケーブル用ラベル」に相当する）。
【００５３】
なお、さらなる変形例として、各領域Ｅ１，Ｅ２，Ｅ３の境界に境界マークＭ１が印刷されていない定長のカットラベルに対し、ユーザーにより入力された印刷領域長さ（Ｌ１）および／または巻き付け領域長さ（Ｌ２）に基づいて各領域Ｅ１，Ｅ２，Ｅ３の長さを割り当て、その割り当て結果にしたがって境界マークＭ１を印刷する構成としても良い。この場合、上記［変形例２］に記載したとおり、各領域Ｅ１，Ｅ２，Ｅ３の配置を選択可能としても良い。
【００５４】
［変形例４］
また、上記の実施形態では、第１印刷領域Ｅ１ａおよび第２印刷領域Ｅ１ｂに対して印刷を行ったが、いずれか一方のみの印刷でも良い。また、レイアウト選択欄８５にて、印刷対象となる印刷領域Ｅ１ａ，Ｅ１ｂを選択可能としても良い。
【００５５】
［第２実施形態］
次に、図１１を参照し、本発明の第２実施形態について説明する。上記の第１実施形態では、ＰＣ２とテープ印刷装置３によってケーブル用ラベルＣＬを作成したが、本実施形態では、テープ印刷装置３のみでケーブル用ラベルＣＬを作成する。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００５６】
図１１は、第２実施形態に係るテープ印刷装置３の機能構成を示すブロック図である。同図に示すように、テープ印刷装置３は、情報入力部５１、編集部５２、印刷データ生成部５３およびラベル作成部６０を備えている。情報入力部５１および編集部５２は、テープ印刷装置３に設けられた不図示の操作手段（キーボード、タッチパネルなど）により情報入力／編集を行う。また、ラベル作成部６０は、請求項におけるラベル作成ステップを実現するものであり、印刷部６２およびフルカット部６３を有する。
【００５７】
以上説明したとおり、第２実施形態によれば、テープ印刷装置３単体で手軽にケーブル用ラベルＣＬを作成することができる。なお、本実施形態においても、［変形例３］に記載したように、カットラベルを適用可能であり、その場合フルカット部６３を省略可能である。
【００５８】
以上、２つの実施形態および変形例を示したが、これらに示した印刷システムＳＹ（ＰＣ２）またはテープ印刷装置３における各構成要素をプログラムとして提供しても良い。また、そのプログラムを各種記録媒体（ＣＤ−ＲＯＭ、フラッシュメモリー等）に格納して提供しても良い。すなわち、コンピューターを印刷システムＳＹまたはテープ印刷装置３の各構成要素として機能させるためのプログラム、それを記録した記録媒体、並びにそれによって作成されたケーブル用ラベルＣＬも、本発明の権利範囲に含まれる。その他、第１実施形態のＰＣ２に代えてタブレット端末など他の情報処理端末を用いたり、ＰＣ２の各部をクラウドコンピューティングで実現するなど、本発明の要旨を逸脱しない範囲で、適宜変更が可能である。
【符号の説明】
【００５９】
２：ＰＣ  ３：テープ印刷装置  ２６ｂ：専用アプリケーション  ５１：情報入力部  ５２：編集部  ５３：印刷データ生成部  ５４：印刷データ出力部  ６０：ラベル作成部  ６１：印刷データ取得部  ６２：印刷部  ６３：フルカット部  ７１：編集領域  ７２：プレビュー表示領域  ７３：情報入力領域  ＣＬ：ケーブル用ラベル  Ｄ：ラベル編集画面  Ｅ１：印刷領域  Ｅ１ａ：第１印刷領域  Ｅ１ｂ：第２印刷領域  Ｅ２：巻き付け領域  Ｅ３：貼り合わせ領域  Ｍ１：境界マーク  Ｍ２：基準マーク  Ｐ：印刷画像  ＳＹ：印刷システム  Ｔ：印刷テープ
【図１】
2016170623.tif 000003
【図２】
2016170623.tif 000004
【図３】
2016170623.tif 000005
【図４】
2016170623.tif 000006
【図５】
2016170623.tif 000007
【図６】
2016170623.tif 000008
【図７】
2016170623.tif 000009
【図８】
2016170623.tif 000010
【図９】
2016170623.tif 000011
【図１０】
2016170623.tif 000012
【図１１】
2016170623.tif 000013